(57)【特許請求の範囲】
【請求項１】
出力電流の電流値に比例した電圧値の電流検出電圧を出力する電流検出回路と、
前記電流検出電圧の前記電圧値に比例した比較対象電圧値と所定の参照電圧値との比較結果に基づいて前記出力電流の前記電流値が予め設定された電流制限値に達したことを検出したときに、当該出力電流の当該電流値を当該電流制限値に維持しつつ出力電圧を垂下させる定電流電圧垂下動作を実行する過電流保護回路とを備えると共に、前記電流制限値を互いに異なる複数の電流制限値のうちから選択された選択電流制限値に設定可能に構成されている定電圧直流電源装置であって、
互いに直列接続された第１抵抗回路および第２抵抗回路で前記電流検出電圧を分圧して前記比較対象電圧値の比較対象電圧を出力する分圧回路を備え、
前記第１抵抗回路は、前記電流制限値の数未満の個数であって異なる抵抗値に規定された複数の固定抵抗と、当該複数の固定抵抗と同数のスイッチ素子を備えてロータの回転位置に応じて当該スイッチ素子のオン・オフ状態の組み合わせパターンを変更可能なロータリコードスイッチとを有して、当該複数の固定抵抗のそれぞれに当該スイッチ素子が接続されて成る直列回路が並列接続されて構成されると共に、前記ロータを回転させて前記組み合わせパターンを変更することで合成抵抗値が前記複数の電流制限値に対応して段階的に変更可能に構成され、
前記第１抵抗回路および前記第２抵抗回路の少なくとも一方に、前記比較対象電圧値を微調整するための可変抵抗が配設されている定電圧直流電源装置。
【請求項２】
出力電流の電流値に比例した電圧値の電流検出電圧を出力する電流検出回路と、
前記電流検出電圧の前記電圧値に比例した比較対象電圧値と所定の参照電圧値との比較結果に基づいて前記出力電流の前記電流値が予め設定された電流制限値に達したことを検出したときに、当該出力電流の当該電流値を当該電流制限値に維持しつつ出力電圧を垂下させる定電流電圧垂下動作を実行する過電流保護回路とを備えると共に、前記電流制限値を互いに異なる複数の電流制限値のうちから選択された選択電流制限値に設定可能に構成されている定電圧直流電源装置であって、
互いに直列接続された第１抵抗回路および第２抵抗回路で基準電圧を分圧して前記所定の参照電圧値の参照電圧を出力する分圧回路を備え、
前記第１抵抗回路は、前記電流制限値の数未満の個数であって異なる抵抗値に規定された複数の固定抵抗と、当該複数の固定抵抗と同数のスイッチ素子を備えてロータの回転位置に応じて当該スイッチ素子のオン・オフ状態の組み合わせパターンを変更可能なロータリコードスイッチとを有して、当該複数の固定抵抗のそれぞれに当該スイッチ素子が接続されて成る直列回路が並列接続されて構成されると共に、前記ロータを回転させて前記組み合わせパターンを変更することで合成抵抗値が前記複数の電流制限値に対応して段階的に変更可能に構成され、
前記第１抵抗回路および前記第２抵抗回路の少なくとも一方に、前記所定の参照電圧値を微調整するための可変抵抗が配設されている定電圧直流電源装置。
【請求項３】
前記可変抵抗は、前記第２抵抗回路に配設されている請求項１または２記載の定電圧直流電源装置。
【発明の詳細な説明】
【技術分野】
【０００１】
本発明は、出力電流の電流値が予め設定された電流制限値に達したときに、この出力電流の電流値をこの電流制限値に維持しつつ出力電圧の電圧値を垂下させる定電流電圧垂下動作を実行する過電流保護回路を備え、この電流制限値を互いに異なる複数の電流制限値のうちから選択して設定可能に構成されている定電圧直流電源装置に関するものである。
【背景技術】
【０００２】
この種の定電圧直流電源装置として、下記の特許文献１に開示された定電圧直流電源装置が知られている。この定電圧直流電源装置は、定電圧制御回路、制限電流値指令回路、および電流制限信号発生回路（いわゆる過電流保護回路）を備えて、電池を充電する電池充電回路として機能する。
【０００３】
この定電圧直流電源装置の定電圧制御回路は、電池電圧を装置内部の第１基準電圧と差動比較し、電池電圧を所定の第２電圧（例えば、４．２Ｖ）に充電するように定電圧制御信号を発生する。また、電池電圧が低い電圧から徐々に上昇し、第２電圧より若干低い第３電圧（例えば、約４．０Ｖ）になったときに差動比較出力を発生し、制限電流値指令回路に供給する。
【０００４】
制限電流値指令回路は、ロジック回路により構成されており、差動比較出力の他に、電池電圧が入力され、それらの入力に応じて、第１予備充電電流値（例えば、５０ｍＡ）、第２予備充電電流値（例えば、１５０ｍＡ）、第１電流値（例えば、７００ｍＡ）、第２電流値（例えば、３００ｍＡ）などのための第１〜第４制限電流指令値を発生し、電流制限信号発生回路に供給する。
【０００５】
電流制限信号発生回路は、降下電圧（充電電流検出用の電流検出抵抗での電圧降下分）とその時点での制限電流指令値とを比較し、降下電圧が制限電流指令値に達した時には、電流制限信号を発生して定電圧制御回路に供給することで、定電圧制御信号を抑圧する。これにより、各制限電流指令値に応じた値に充電電流を制限する。
【０００６】
この電流制限信号発生回路では、第２基準電圧とグランド間に、制限電流値指令回路からの第１〜第４制限電流指令値により抵抗値がその指令値にしたがって変更される可変抵抗と、抵抗（固定抵抗）とが直列に接続される。これにより、この抵抗（固定抵抗）に制限電流指令値に応じた電圧が得られる。また、電流制限信号発生回路では、降下電圧と抵抗（固定抵抗）の電圧（即ち、制限電流指令値）とが比較器で比較され、降下電圧がそのときの制限電流指令値を越えると、その出力がＨレベルに反転して、定電圧制御信号が抑圧されて、電流制限が行われる。
【０００７】
したがって、このようにして、電流制限値を変更可能な電流制限機能付きの定電圧直流電源装置（過電流保護回路を備えた定電圧直流電源装置）は、所望の電流制限値で電流を制限しつつ電池を充電すること（電池を所望の電流値で定電流充電すること）が可能になっている。
【先行技術文献】
【特許文献】
【０００８】
【特許文献１】特開２００４−１５９４７７号公報（第５−６頁、第１−４図）
【発明の概要】
【発明が解決しようとする課題】
【０００９】
ところが、上記の定電圧直流電源装置には以下のような解決すべき課題が存在している。すなわち、上記の定電圧直流電源装置の電流制限信号発生回路では、第２基準電圧とグランド間に、制限電流値指令回路からの第１〜第４制限電流指令値により抵抗値がその指令値にしたがって変更される可変抵抗と、抵抗（固定抵抗）とが直列に接続されて、この抵抗（固定抵抗）に生じた電圧が比較器において降下電圧と比較される。しかしながら、基準電圧値や、指令値に従って変更される可変抵抗の抵抗値や、抵抗（固定抵抗）の抵抗値にはばらつきがあるため、このばらつきに起因して抵抗（固定抵抗）に生じる電圧にもばらつきが生じる。したがって、この定電圧直流電源装置には、このばらつきに起因して、各制限電流指令値に対応する電流制限値がばらつく、つまり、所望の電流制限値に正確に規定することが難しいという解決すべき課題が存在している。
【００１０】
本発明は、かかる課題を解決するためになされたものであり、定電流電圧垂下動作時における定電流値として選択される電流制限値を正確に規定し得る定電圧直流電源装置を提供することを主目的とする。
【課題を解決するための手段】
【００１１】
上記目的を達成すべく、本発明に係る定電圧直流電源装置は、出力電流の電流値に比例した電圧値の電流検出電圧を出力する電流検出回路と、前記電流検出電圧の前記電圧値に比例した比較対象電圧値と所定の参照電圧値との比較結果に基づいて前記出力電流の前記電流値が予め設定された電流制限値に達したことを検出したときに、当該出力電流の当該電流値を当該電流制限値に維持しつつ出力電圧を垂下させる定電流電圧垂下動作を実行する過電流保護回路とを備えると共に、前記電流制限値を互いに異なる複数の電流制限値のうちから選択された選択電流制限値に設定可能に構成されている定電圧直流電源装置であって、互いに直列接続された第１抵抗回路および第２抵抗回路で前記電流検出電圧を分圧して前記比較対象電圧値の比較対象電圧を出力する分圧回路を備え、前記第１抵抗回路は、前記電流制限値の数未満の個数であって異なる抵抗値に規定された複数の固定抵抗と、当該複数の固定抵抗と同数のスイッチ素子を備えてロータの回転位置に応じて当該スイッチ素子のオン・オフ状態の組み合わせパターンを変更可能なロータリコードスイッチとを有して、当該複数の固定抵抗のそれぞれに当該スイッチ素子が接続されて成る直列回路が並列接続されて構成されると共に、前記ロータを回転させて前記組み合わせパターンを変更することで合成抵抗値が前記複数の電流制限値に対応して段階的に変更可能に構成され、前記第１抵抗回路および前記第２抵抗回路の少なくとも一方に、前記比較対象電圧値を微調整するための可変抵抗が配設されている。
【００１２】
また、本発明に係る定電圧直流電源装置は、出力電流の電流値に比例した電圧値の電流検出電圧を出力する電流検出回路と、前記電流検出電圧の前記電圧値に比例した比較対象電圧値と所定の参照電圧値との比較結果に基づいて前記出力電流の前記電流値が予め設定された電流制限値に達したことを検出したときに、当該出力電流の当該電流値を当該電流制限値に維持しつつ出力電圧を垂下させる定電流電圧垂下動作を実行する過電流保護回路とを備えると共に、前記電流制限値を互いに異なる複数の電流制限値のうちから選択された選択電流制限値に設定可能に構成されている定電圧直流電源装置であって、互いに直列接続された第１抵抗回路および第２抵抗回路で基準電圧を分圧して前記所定の参照電圧値の参照電圧を出力する分圧回路を備え、前記第１抵抗回路は、前記電流制限値の数未満の個数であって異なる抵抗値に規定された複数の固定抵抗と、当該複数の固定抵抗と同数のスイッチ素子を備えてロータの回転位置に応じて当該スイッチ素子のオン・オフ状態の組み合わせパターンを変更可能なロータリコードスイッチとを有して、当該複数の固定抵抗のそれぞれに当該スイッチ素子が接続されて成る直列回路が並列接続されて構成されると共に、前記ロータを回転させて前記組み合わせパターンを変更することで合成抵抗値が前記複数の電流制限値に対応して段階的に変更可能に構成され、前記第１抵抗回路および前記第２抵抗回路の少なくとも一方に、前記所定の参照電圧値を微調整するための可変抵抗が配設されている。
【００１３】
また、本発明に係る定電圧直流電源装置は、前記可変抵抗は、前記第２抵抗回路に配設されている。
【発明の効果】
【００１４】
本発明の定電圧直流電源装置によれば、分圧回路における第１抵抗回路および第２抵抗回路の少なくとも一方に可変抵抗が配設されているため、製造時において、基準電圧値や、分圧回路の第１抵抗回路を構成する各固定抵抗の抵抗値に若干のばらつきが生じていたとしても、この可変抵抗を操作することで、ロータリコードスイッチで選択された電流制限値を電源装置の仕様上の電流制限値にほぼ合致した状態に微調整することができる。これにより、この電源装置のユーザーは、測定器等の設備を用いることなく、ロータリコードスイッチを操作することで、仕様に規定されている複数の電流制限値のうちから所望の１つを実際の電流制限値に設定して、仕様に規定されている通りの電流制限値を負荷（電池など）に供給することができる。
【００１５】
また、本発明の定電圧直流電源装置によれば、ロータリコードスイッチが配設された第１抵抗回路に直列接続された第２抵抗回路に可変抵抗が配設されているため、この可変抵抗を操作することで、すべての電流制限値を一括して微調整することができることから、調整操作を簡易にすることができ、調整工程の工数削減を達成することができる。
【図面の簡単な説明】
【００１６】
【図１】電源装置１の構成図である。
【図２】電源装置１の出力電流Ｉ２に対する出力電圧Ｖ２の特性図である。
【図３】電源装置１の選択スイッチ４５についての各選択ｃｈと、電流制限値Ｉｒと、各スイッチ素子ＳＷのオン状態についての対応図である。
【図４】電源装置１の選択スイッチ４５についての各選択ｃｈと、電流制限値Ｉｒと、第１抵抗回路３１の固定抵抗４１〜４４のうちのオン状態の各スイッチ素子ＳＷによって接続される固定抵抗の抵抗値と、第１抵抗回路３１の合成抵抗値についての対応図である。
【図５】定電圧直流電源装置１Ａの構成図である。
【発明を実施するための形態】
【００１７】
以下、定電圧直流電源装置の実施の形態について、図面を参照しつつ説明する。
【００１８】
図１に示す電源装置１は、一例として、一対の入力端子２ａ，２ｂ（以下、特に区別しないときには「入力端子２」ともいう）、入力平滑回路３、トランス４、スイッチング回路５、電流検出回路６、整流回路７、出力平滑回路８、一対の出力端子９ａ，９ｂ（以下、特に区別しないときには「出力端子９」ともいう）、制御回路１０、および分圧回路１１を備え、定電流電圧垂下形の過電流保護機能を有する定電圧直流電源装置として構成されている。
【００１９】
この電源装置１では、入力平滑回路３は、一例として図１に示すように、入力端子２ａ，２ｂ間に接続されたコンデンサで構成されて、入力端子２ａ，２ｂ間に入力される入力電圧（直流電圧）Ｖ１のリップル成分を低減する（入力電圧Ｖ１を平滑する）。なお、入力平滑回路３は、コンデンサのみの構成に代えて、コイルとコンデンサとを組み合わせた構成など、公知の種々の構成を採用することができる。また、入力電圧Ｖ１が十分に安定しているときには、入力平滑回路３を省く構成を採用することもできる。
【００２０】
トランス４は、一例として図１に示すように、１次巻線４ａ、および１次巻線４ａと電気的に絶縁された２次巻線４ｂとを少なくとも備えている。スイッチング回路５は、スイッチ素子５ａ（ＦＥＴやトランジスタなど）およびドライブ回路５ｂを有し、ドライブ回路５ｂが制御回路１０から出力される駆動パルスＳ１に基づいてスイッチ素子５ａをオン・オフ制御することにより、入力平滑回路３から出力される入力電圧Ｖ１をスイッチングしてトランス４の１次巻線４ａに断続的に印加する。トランス４は、この入力電圧Ｖ１の断続的な１次巻線４ａへの印加により、２次巻線４ｂに交流電圧を誘起させる。
【００２１】
なお、図１では、スイッチング回路５は、一例として、１石フォーワード方式の回路に構成されているが、１石フライバック方式の回路や、プッシュプル方式の回路や、フルブリッジ方式の回路など公知の種々の方式の回路で構成することもできる。また、この電源装置１は、絶縁型のトランス４を備えて、絶縁型のＤＣＤＣコンバータとして構成されているが、図示はしないが、例えば、トランス４に代えてチョークコイルを使用した非絶縁型のＤＣＤＣコンバータとして構成することもできる。
【００２２】
電流検出回路６は、一例として図１に示すように、電源装置１の１次側（トランス４の１次巻線４ａ側）に配設されて、スイッチング回路５に流れる入力電流Ｉ１を検出すると共に、入力電流Ｉ１の電流値に比例した電圧値Ｖｉｖ（電源装置１の１次側のグランドＧの電位を基準とした電圧値）の電流検出電圧Ｖｉを出力する。この場合、入力電流Ｉ１の電流値は、電源装置１の２次側（トランス４の２次巻線４ｂ側）に流れて出力端子９に接続された負荷に供給される出力電流Ｉ２の電流値に比例する。このため、電流検出電圧Ｖｉの電圧値Ｖｉｖは出力電流Ｉ２の電流値にも比例することから、この電圧値Ｖｉｖを検出することは、実質的に出力電流Ｉ２の電流値を検出することになる。
【００２３】
なお、本例では一例として、電流検出回路６は、低抵抗値（例えば１Ω未満の微小抵抗値）の電流検出抵抗で構成されているが、これに限定されず、例えば、入力電流Ｉ１の流れる経路に装着された磁気コアおよびこの磁気コアに巻回されたコイルを有する構成（カレントトランス）や、このように装着された磁気コアおよびこの磁気コアに配設された磁電変換素子（ホール素子など）を有する構成を備えて、入力電流Ｉ１の電流値に比例した電圧値Ｖｉｖの電流検出電圧Ｖｉを出力する電流プローブなどで電流検出回路６を構成することもできる。また、電流検出回路６を電源装置１の２次側に配設して、出力電流Ｉ２の電流値を直接検出して電流検出電圧Ｖｉを出力する構成を採用することもできる。
【００２４】
整流回路７は、２次巻線４ｂに誘起される交流電圧を整流することにより、脈流電圧に変換して出力する。出力平滑回路８は、整流回路７から出力される脈流電圧を平滑することにより、出力電圧（直流電圧）Ｖ２に変換して出力端子９ａ，９ｂ間から出力する。
【００２５】
制御回路１０は、本例では、一例として図１に示すように、基準電圧生成回路２１、比較回路２２および駆動信号生成回路２３を備えている。この制御回路１０は、検出している出力電圧Ｖ２の電圧値に基づいてこの電圧値が予め規定された電圧値Ｖｏとなるように、出力する駆動パルスＳ１のデューティ比を制御する定電圧制御動作を実行すると共に、分圧回路１１から出力される後述の比較対象電圧Ｖｄの比較対象電圧値Ｖｄｖに基づいて、設定された電流制限値（後述のように複数の電流制限値のうちから選択された電流制限値であることから「選択電流制限値」ともいう）Ｉｌｉｍに出力電流Ｉ２の電流値が達したことを検出したときには、定電流電圧垂下形の過電流保護機能が作動するように、出力する駆動パルスＳ１のデューティ比を制御する定電流制御動作を実行する。
【００２６】
具体的には、基準電圧生成回路２１は、一定の電圧値（基準電圧値Ｖｒｖ。グランドＧの電位を基準とした電圧値（本例では一例としてマイナス電圧値））の基準電圧Ｖｒを生成して出力する。比較回路２２は、比較対象電圧Ｖｄの比較対象電圧値Ｖｄｖ（電圧値Ｖｉｖに比例した比較対象電圧値としての電圧値）と基準電圧値Ｖｒｖを分圧した所定の参照電圧値（本例では一例として、分圧比が１であって基準電圧値Ｖｒｖ自体であるが、基準電圧値Ｖｒｖを分圧比１未満で分圧した電圧値であってもよい）とを比較すると共に、電圧値Ｖｄｖが参照電圧値（本例では上記のように基準電圧値Ｖｒｖ）に達したとき（つまり、出力電流Ｉ２の電流値が選択電流制限値Ｉｌｉｍに達したとき）に検出信号Ｓ２を出力する。
【００２７】
駆動信号生成回路２３は、比較回路２２から検出信号Ｓ２が出力されるまでは（出力電流Ｉ２の電流値が選択電流制限値Ｉｌｉｍに達するまでは）、定電圧制御動作を実行することにより、出力電圧Ｖ２の電圧値が予め規定された電圧値Ｖｏに維持されるように駆動パルスＳ１のデューティ比を制御する。
【００２８】
また、駆動信号生成回路２３は、比較回路２２から検出信号Ｓ２が出力されているときには（出力電流Ｉ２の電流値が選択電流制限値Ｉｌｉｍに達しているときには）、定電流制御動作を実行することにより、出力電流Ｉ２の電流値がこの選択電流制限値Ｉｌｉｍに維持されるように駆動パルスＳ１のデューティ比を制御する。この結果、出力電圧Ｖ２の電圧値は低下する。この構成により、制御回路１０は、駆動信号生成回路２３がこの定電流制御動作を実行しているときには、定電流電圧垂下形の過電流保護機能を発揮する過電流保護回路として機能する。
【００２９】
分圧回路１１は、互いに直列接続された第１抵抗回路３１および第２抵抗回路３２を備えている。また、分圧回路１１は、本例では、電流検出回路６における電流検出電圧Ｖｉの出力側とグランドＧとの間に配設されて、電流検出電圧Ｖｉの電圧値Ｖｉｖを分圧比（第１抵抗回路３１の抵抗値／（第１抵抗回路３１の抵抗値＋第２抵抗回路３２の抵抗値）で分圧することにより、比較対象電圧値Ｖｄｖの比較対象電圧Ｖｄを出力する。
【００３０】
この場合、第１抵抗回路３１は、互いに異なる抵抗値に規定された複数の固定抵抗（本例では一例として、４つの固定抵抗４１，４２，４３，４４）と、この複数の固定抵抗（固定抵抗４１，４２，４３，４４）のうちの選択された固定抵抗のみを第２抵抗回路３２に直列接続する選択スイッチ４５とを備えている。また、第１抵抗回路３１は、この複数の固定抵抗と選択スイッチ４５の直列回路全体に対して並列接続された固定抵抗４６を備えている。
【００３１】
本例では一例として、選択スイッチ４５は、固定抵抗４１，４２，４３，４４の個数（４つ）と同数のスイッチ素子ＳＷ１，ＳＷ２，ＳＷ３，ＳＷ４（以下、特に区別しないときにはスイッチ素子ＳＷともいう）を備えたロータリコードスイッチで構成されている。ロータリコードスイッチとは、例えば、コパル社製のＳ−１０００Ａのように、ロータの回転位置（以下、選択チャンネル（略して「選択ｃｈ」）ともいう）に応じて各スイッチ素子ＳＷのオン・オフ状態の組み合わせパターンを変更可能なスイッチである。
【００３２】
この選択スイッチ４５では、スイッチ素子ＳＷが４つであるため、２の４乗個（１６個）の組み合わせパターンが存在し、各組み合わせパターンに対応する１６個の選択ｃｈ０，ｃｈ１，・・・，ｃｈ９，ｃｈＡ，・・・，ｃｈＥ，ｃｈＦ（以下、特に区別しないときには選択ｃｈともいう）が規定されている。これにより、選択スイッチ４５では、ロータを所望の選択ｃｈに回転させることで、この選択ｃｈに対応したスイッチ素子ＳＷのオン・オフ状態の組み合わせパターンを選択可能となっている。
【００３３】
この電源装置１では、複数の電流制限値の一例として、図２，３に示すように、１０個の電流制限値Ｉｒ０，Ｉｒ１，Ｉｒ２，Ｉｒ３，Ｉｒ４，Ｉｒ５，Ｉｒ６，Ｉｒ７，Ｉｒ８，Ｉｒ９（Ｉｒ０＜Ｉｒ１＜Ｉｒ２＜Ｉｒ３＜Ｉｒ４＜Ｉｒ５＜Ｉｒ６＜Ｉｒ７＜Ｉｒ８＜Ｉｒ９。以下、電流制限値Ｉｒ０〜Ｉｒ９を特に区別しないときには電流制限値Ｉｒともいう）を用意して、これらのうちの任意の１つの電流制限値Ｉｒを実際の電流制限値Ｉｌｉｍとして選択する構成（選択された電流制限値は「選択電流制限値」）を採用する。このため、電源装置１では、一例として上記の選択ｃｈ０〜ｃｈＦのうちの１０個の選択ｃｈ０，ｃｈ１，・・・，ｃｈ８，ｃｈ９のみを使用して、これらの選択ｃｈ０，ｃｈ１，・・・，ｃｈ８，ｃｈ９を、図３に示すように、この順に電流制限値Ｉｒ０，Ｉｒ１，・・・，Ｉｒ８，Ｉｒ９に対応させる。
【００３４】
この場合、各選択ｃｈ０，ｃｈ１，・・・，ｃｈ８，ｃｈ９に対応して、図３に示すように、選択スイッチ４５の各スイッチ素子ＳＷについてのオン・オフ状態の組み合わせパターンが変化することで、第２抵抗回路３２に直列接続される第１抵抗回路３１の固定抵抗４１〜４４の組み合わせが変更される結果、分圧回路１１の分圧比が段階的に変更される。なお、図３中の○を付したスイッチ素子ＳＷはオン状態であることを表し、○を付していないスイッチ素子ＳＷはオフ状態であることを表している。
【００３５】
例えば、固定抵抗４１，４２，４３，４４，４６の各抵抗値Ｒ１，Ｒ２，Ｒ３，Ｒ４，Ｒ０をそれぞれ６８０［Ω］，３３０［Ω］，１６０［Ω］，８２［Ω］，１００ｋ［Ω］とし、図１に示すように、固定抵抗４１をスイッチ素子ＳＷ１に、固定抵抗４２をスイッチ素子ＳＷ２に、固定抵抗４３をスイッチ素子ＳＷ３に、固定抵抗４４をスイッチ素子ＳＷ４に接続したときには、選択ｃｈ０，ｃｈ１，ｃｈ２，ｃｈ３，ｃｈ４，ｃｈ５，ｃｈ６，ｃｈ７，ｃｈ８，ｃｈ９での第１抵抗回路３１全体の抵抗値（固定抵抗４１，４２，４３，４４のうちのオン状態のスイッチ素子ＳＷを介して接続される固定抵抗と、常時接続されている固定抵抗４６との合成抵抗値）を、図４に示すように、選択ｃｈ０での１００ｋ［Ω］から、選択ｃｈ１での６７５［Ω］、選択ｃｈ２での３２９［Ω］、・・・、選択ｃｈ８での８２［Ω］、選択ｃｈ９での７３［Ω］というように段階的に変化（この例では減少）させることができる。
【００３６】
これにより、各選択ｃｈ０，ｃｈ１，・・・，ｃｈ８，ｃｈ９での分圧回路１１の分圧比を段階的に変化（減少）させることができることから、選択スイッチ４５のロータの選択ｃｈを選択ｃｈ０から選択ｃｈ１、選択ｃｈ２、・・・というように、選択ｃｈ９側に向けて変更することで、分圧回路１１から出力される比較対象電圧Ｖｄの比較対象電圧値Ｖｄｖが基準電圧値Ｖｒｖ（参照電圧値）に達するときの入力電流Ｉ１の電流値（結果として出力電流Ｉ２の電流値）を段階的に大きくすること、すなわち、選択電流制限値Ｉｌｉｍとして選択される電流制限値Ｉｒ０，Ｉｒ１，Ｉｒ２，Ｉｒ３，Ｉｒ４，Ｉｒ５，Ｉｒ６，Ｉｒ７，Ｉｒ８，Ｉｒ９を、上記したように、この順に段階的に大きくすること（電流制限値Ｉｒ０＜Ｉｒ１＜Ｉｒ２＜Ｉｒ３＜Ｉｒ４＜Ｉｒ５＜Ｉｒ６＜Ｉｒ７＜Ｉｒ８＜Ｉｒ９のようにすること）が可能となる。
【００３７】
また、各固定抵抗４１，４２，４３，４４，４６は、抵抗値が固定された単一の抵抗素子のみで構成することもできるし、複数の抵抗素子を並列や直列に接続してなる抵抗網で構成することもできることから、任意の抵抗値に規定することが可能である。したがって、この電源装置１では、各固定抵抗４１，４２，４３，４４，４６の抵抗値を適宜設定することにより、各選択ｃｈ０，ｃｈ１，・・・，ｃｈ８，ｃｈ９での電流制限値Ｉｒが本例の電源装置１の選択電流制限値Ｉｌｉｍについての仕様（選択電流制限値Ｉｌｉｍとして選択し得る複数の電流制限値のそれぞれ）に合致するように各選択ｃｈ０，ｃｈ１，・・・，ｃｈ８，ｃｈ９での分圧回路１１の分圧比を仕様上の分圧比に設定することが可能となっている。
【００３８】
第２抵抗回路３２は、可変抵抗４７を有して構成されている。本例では一例として、第２抵抗回路３２は、図１に示すように、１つの可変抵抗４７で構成されて、この可変抵抗４７の一端側に電流検出電圧Ｖｉが供給され、この可変抵抗４７の他端側に、第１抵抗回路３１を構成する各固定抵抗４１，４２，４３，４４におけるスイッチ素子ＳＷと接続されていない側の端部、および固定抵抗４６におけるグランドＧと接続されていない側の端部が接続されている。
【００３９】
この構成により、基準電圧値Ｖｒｖや、第１抵抗回路３１を構成する各固定抵抗４１，４２，４３，４４，４６の抵抗値Ｒ１，Ｒ２，Ｒ３，Ｒ４，Ｒ０が電源装置１毎に若干ばらついたとしても、電源装置１の製造時の調整工程において、選択ｃｈ０，ｃｈ１，・・・，ｃｈ８，ｃｈ９のうちの任意の１つの選択ｃｈでの分圧回路１１の分圧比を、第２抵抗回路３２の可変抵抗４７を操作してこの第２抵抗回路３２の抵抗値を微調整することによってこの任意の１つの選択ｃｈでの仕様上の分圧比に合致させることができる（また、この結果として、他の選択ｃｈでの分圧回路１１の分圧比も、それぞれの仕様上の分圧比にほぼ合致させられる）。
【００４０】
これにより、この電源装置１では、第２抵抗回路３２の可変抵抗４７の抵抗値を変更することにより、各選択ｃｈ０，ｃｈ１，・・・，ｃｈ８，ｃｈ９での電流制限値Ｉｒを一括して微調整して、本例の電源装置１の選択電流制限値Ｉｌｉｍについての仕様（電流制限値Ｉｌｉｍとして選択し得る複数の電流制限値のそれぞれ）にほぼ正確に合致させることが可能になっている。なお、図示はしないが、可変抵抗４７を操作した際の第２抵抗回路３２全体の抵抗値の可変範囲や変化の度合いを調整するために、可変抵抗４７に直列に固定抵抗を接続したり、可変抵抗４７に並列に固定抵抗を接続したりする構成を採用することもできる。
【００４１】
続いて、電源装置１の動作について、電源装置１で負荷５１としての電池（以下、電池５１ともいう）を充電する例を挙げて説明する。
【００４２】
なお、この電源装置１は、例えば、製造時の調整工程において、出力端子９ａ，９ｂ間に例えばダミー負荷が接続された状態で、定電圧制御動作させられて、その出力電圧Ｖ２の電圧値が予め規定された電圧値Ｖｏとなるように調整される。
【００４３】
また、電源装置１は、製造時の別の調整工程において、選択スイッチ４５を操作してそのロータの選択ｃｈを選択ｃｈ０，ｃｈ１，・・・，ｃｈ８，ｃｈ９のいずれか１つに設定し、この設定した選択ｃｈでの電流制限値Ｉｒが電源装置１の仕様に合致した電流値になるように（言い換えれば、この選択ｃｈでの分圧回路１１の分圧比が電源装置１の仕様に合致した分圧比になるように）、第２抵抗回路３２の可変抵抗４７を操作して微調整する。これにより、他のすべての選択ｃｈでの電流制限値Ｉｒについても、電源装置１の仕様にほぼ合致した電流値に規定される。
【００４４】
この電源装置１を使用して電池５１を定電流充電する場合には、ユーザーは、まず、電源装置１の仕様（選択スイッチ４５についての各選択ｃｈ０〜ｃｈ９での電流制限値Ｉｒ０〜Ｉｒ９）を確認して、選択スイッチ４５を操作することにより、選択スイッチ４５のロータの選択ｃｈを、各選択ｃｈ０〜ｃｈ９のうちの電池５１を定電流充電しようとする所望の充電電流値に合致する電流制限値Ｉｒに対応する選択ｃｈに設定する（つまり、電源装置１の定電流制御動作時の選択電流制限値Ｉｌｉｍをこの電流制限値Ｉｒに設定する）。次いで、電源装置１を定電流制御動作させる。これにより、ユーザーは、電源装置１の仕様に規定された選択電流制限値Ｉｌｉｍで、電池５１を定電流充電することが可能となる。
【００４５】
このように、この電源装置１では、分圧回路１１の第２抵抗回路３２に可変抵抗４７が配設されている。したがって、この電源装置１によれば、製造時において、基準電圧値Ｖｒｖや、分圧回路１１の第１抵抗回路３１を構成する固定抵抗４１，４２，４３，４４，４６の抵抗値に若干のばらつきが生じていたとしても、この可変抵抗４７を操作することで、選択スイッチ４５の各選択ｃｈでの電流制限値Ｉｒを電源装置１の仕様上の電流制限値にほぼ合致した状態に微調整することができる。これにより、この電源装置１のユーザーは、測定器等の設備を用いることなく、選択スイッチ４５を操作することで、仕様に規定されている複数の電流制限値Ｉｒのうちから所望の１つを実際の選択電流制限値Ｉｌｉｍに設定して、仕様に規定されている通りの電流制限値Ｉｒを負荷としての電池５１に供給する（電池５１を定電流で充電する）ことができる。
【００４６】
なお、上記の電源装置１では、分圧回路１１で電流検出電圧Ｖｉの電圧値Ｖｉｖを分圧する構成を採用しているが、図５に示す定電圧直流電源装置１Ａ（以下、単に電源装置１Ａともいう）のように、電流検出電圧Ｖｉの電圧値Ｖｉｖに代えて、基準電圧生成回路２１で生成される基準電圧Ｖｒを分圧回路１１で分圧して、所定の参照電圧値Ｖｒｆｖの参照電圧Ｖｒｆとして制御回路１０に出力する構成を採用することもできる。なお、電源装置１と同一の構成については同一の符号を付して重複する説明を省略する。
【００４７】
この電源装置１Ａでは、選択ｃｈ９側に向かうに従って各選択ｃｈ０〜ｃｈ９での分圧比が段階的に大きくなるように、第１抵抗回路３１を構成する固定抵抗４１，４２，４３，４４，４６の抵抗値を規定することにより、電源装置１と同じようにして、各選択ｃｈ０，ｃｈ１，・・・，ｃｈ８，ｃｈ９での電流制限値Ｉｒ０，Ｉｒ１，Ｉｒ２，Ｉｒ３，Ｉｒ４，Ｉｒ５，Ｉｒ６，Ｉｒ７，Ｉｒ８，Ｉｒ９を、この順に段階的に大きくすることが可能となっている。
【００４８】
この電源装置１Ａでも、製造時において、基準電圧値Ｖｒｖや、分圧回路１１の第１抵抗回路３１を構成する固定抵抗４１，４２，４３，４４，４６の抵抗値に若干のばらつきが生じていたとしても、第２抵抗回路３２の可変抵抗４７を操作することで、選択スイッチ４５の各選択ｃｈでの電流制限値Ｉｒを電源装置１の仕様上の電流制限値にほぼ合致した状態に微調整することができる。これにより、この電源装置１Ａのユーザーは、測定器等の設備を用いることなく、選択スイッチ４５を操作することで、仕様に規定されている複数の電流制限値Ｉｒのうちから所望の１つを実際の選択電流制限値Ｉｌｉｍに設定して、仕様に規定されている通りの電流制限値Ｉｒを負荷としての電池５１に供給する（電池５１を定電流で充電する）ことができる。
【００４９】
また、上記の電源装置１，１Ａでは、すべてのスイッチ素子ＳＷがオフ状態となる（選択ｃｈ０の場合）ことがあるロータリコードスイッチを第１抵抗回路３１において選択スイッチ４５として使用しており、この状態では第２抵抗回路３２の可変抵抗４７を使用した微調整が行えないことから、これを回避するために固定抵抗４６を配置しているが、例えば、ロータリコードスイッチの選択ｃｈ０以外の選択ｃｈのみを使用する構成を採用することもでき、この構成では、固定抵抗４６を省略することができる。
【００５０】
また、上記の電源装置１，１Ａでは、ロータリコードスイッチを第１抵抗回路３１において選択スイッチ４５として使用する構成を採用することで、分圧回路１１の分圧比をより多くの値に段階的に変更し得るようにしているが、例えば、図１中の各スイッチ素子ＳＷのうちのいずれか１つだけが単独でオン状態となるようなスイッチを選択スイッチ４５として使用する構成を採用することもできる。
【００５１】
また、上記の電源装置１，１Ａでは、選択スイッチ４５が配設された第１抵抗回路３１に直列接続された第２抵抗回路３２に可変抵抗４７を配設して、この可変抵抗４７を操作することで、すべての電流制限値Ｉｒを一括して微調整し得る構成（つまり、調整操作が簡易になって調整工程の工数削減を達成し得る構成）を採用しているが、この構成に代えて、第２抵抗回路３２を固定抵抗で構成し、かつ第１抵抗回路３１の各固定抵抗４１，４２，４３，４４を可変抵抗４７を有する構成とすることもできる。この構成では、調整箇所が増加する分だけ調整操作に手間がかかるようになるものの、各電流制限値Ｉｒを個別に微調整することが可能になる。さらに、図示はしないが、第１抵抗回路３１の各固定抵抗４１，４２，４３，４４、および第２抵抗回路３２を、それぞれが可変抵抗を有する構成とすることもできる。また、第１抵抗回路３１をグランドＧ側に配設する上記の構成に代えて、第２抵抗回路３２をグランドＧ側に配設する構成を採用することもできる。
【００５２】
また、上記の例では、スイッチング方式を採用した各電源装置１，１Ａを挙げて説明しているが、図示はしないが、シリーズ方式を採用した定電圧直流電源装置にも、上記の分圧回路１１についての構成を適用して、複数の電流制限値を正確に規定するように構成することもできる。
【００５３】
また、上記の電源装置１，１Ａでは、電流検出電圧Ｖｉを制御回路１０のグランドＧの電位に対してマイナス電圧としているため、電圧値Ｖｄｖ、基準電圧値Ｖｒｖおよび参照電圧値Ｖｒｆｖのいずれもマイナス電圧とする構成であるが、図示はしないが、電流検出電圧Ｖｉを制御回路１０のグランドＧの電位に対してプラス電圧とし、これに合わせて、電圧値Ｖｄｖ、基準電圧値Ｖｒｖおよび参照電圧値Ｖｒｆｖのいずれもプラス電圧とする構成を採用することもできる。
【符号の説明】
【００５４】
１，１Ａ  電源装置
６  電流検出回路
１０  制御回路
１１  分圧回路
２１  基準電圧生成回路
３１  第１抵抗回路
３２  第２抵抗回路
４１〜４４  固定抵抗
４５  選択スイッチ
４７  可変抵抗
Ｉ２  出力電流
Ｖｄ  比較対象電圧
Ｖｄｖ  比較対象電圧値
Ｖｉ  電流検出電圧
Ｖｉｖ  電流検出電圧の電圧値
Ｖｒｆ  参照電圧
Ｖｒｆｖ  参照電圧値
Ｖｒｖ  基準電圧値
【図１】
0006511842.tif 000002
【図２】
0006511842.tif 000003
【図３】
0006511842.tif 000004
【図４】
0006511842.tif 000005
【図５】
0006511842.tif 000006